(57)【要約】【課題】用紙の種類や厚みにかかわらず排紙トレイ上での排紙揃えを向上することが可能な大容量排紙収納装置、及びスキューした用紙であっても排紙トレイ上での排紙揃えを向上することが可能な大容量排紙装置を提供する。【解決手段】画像形成装置２の排紙部６に接続される装置本体１１と、排紙部６より排出される用紙Ｐを積載可能であって装置本体１１に上下動自在に支持された排紙トレイ１２と、排紙トレイ１２を上下動させるトレイ上下動手段１５と、排紙トレイ１２上に排出される用紙Ｐの幅方向の揃えを行う１対のサイドフェンス１３と、排紙トレイ１２上に排出される用紙Ｐの搬送方向の揃えを行う装置本体１１に支持された１つのエンドフェンス１４とを備えた排紙収納装置１において、エンドフェンス１４を排紙トレイ１２に対して角度調整可能とした。【選択図】                        図４
2004269182.tif 000002
【特許請求の範囲】
【請求項１】
画像形成装置の排紙部に接続される装置本体と、前記排紙部より排出される用紙を積載可能であって前記装置本体に上下動自在に支持された排紙トレイと、前記排紙トレイを上下動させるトレイ上下動手段と、前記排紙トレイ上に排出される前記用紙の幅方向の揃えを行う１対のサイドフェンスと、前記排紙トレイ上に排出される前記用紙の搬送方向の揃えを行う前記装置本体に支持された１つのエンドフェンスとを備えた排紙収納装置において、
前記エンドフェンスは前記排紙トレイに対して角度調整可能であることを特徴とする排紙収納装置。
【請求項２】
画像形成装置の排紙部に接続される装置本体と、前記排紙部より排出される用紙を積載可能であって前記装置本体に上下動自在に支持された排紙トレイと、前記排紙トレイを上下動させるトレイ上下動手段と、前記排紙トレイ上に排出される前記用紙の幅方向の揃えを行う１対のサイドフェンスと、前記排紙トレイ上に排出される前記用紙の搬送方向の揃えを行う前記装置本体に支持された１つのエンドフェンスとを備えた排紙収納装置において、
前記エンドフェンスは前記用紙の衝突時において前記幅方向に回動可能であることを特徴とする排紙収納装置。
【請求項３】
画像形成装置の排紙部に接続される装置本体と、前記排紙部より排出される用紙を積載可能であって前記装置本体に上下動自在に支持された排紙トレイと、前記排紙トレイを上下動させるトレイ上下動手段と、前記排紙トレイ上に排出される前記用紙の幅方向の揃えを行う１対のサイドフェンスと、前記排紙トレイ上に排出される前記用紙の搬送方向の揃えを行う前記装置本体に支持された１つのエンドフェンスとを備えた排紙収納装置において、
前記エンドフェンスは前記排紙トレイに対して角度調整可能であると共に、前記用紙の衝突時において前記幅方向に回動可能であることを特徴とする排紙収納装置。
【請求項４】
請求項２または請求項３記載の排紙収納装置において、
前記エンドフェンスは前記用紙の非衝突時において前記用紙の搬送方向に対して直行する中立位置に復帰することを特徴とする排紙収納装置。
【発明の詳細な説明】
【０００１】
【発明の属する技術分野】
本発明は、孔版印刷装置あるいは複写装置等の画像形成装置から排出された用紙を収納する排紙収納装置に関し、詳しくは上下動自在な排紙トレイを有する大容量排紙収納装置に関する。
【０００２】
【従来の技術】
従来、給紙部から排紙部に至る用紙搬送経路に用紙を通紙し、搬送過程で用紙に画像形成を行う印刷装置、複写装置等の画像形成装置が知られている。このような画像形成装置を用いて画像形成を行う際に、同一の原稿から連続して画像形成を行うためあるいは頻繁に用いられるサイズの用紙の補給回数を少なくするため等の目的から、画像形成装置の給紙部に接続可能であって３０００枚程度の用紙を積載することが可能な大容量給紙装置が、例えば特開平８−２５９００８号公報に開示されている。
【０００３】
しかし、通常の画像形成装置では、排紙部に設けられている排紙トレイ上に１０００枚以上の大量の用紙を積載することができない。従って、大容量給紙装置を用いて１０００枚以上の印刷を行う場合には、印刷作業を途中で中断して排紙トレイ上から印刷済みの用紙を取り除く必要が生じ、作業性が非常に悪かった。
【０００４】
そこで、上述の問題点を解消するため、画像形成装置に接続可能であって１０００枚以上の用紙を積載することが可能な大容量排紙収納装置が、例えば「特許文献１」に記載されている。
【０００５】
【特許文献１】
特開平１１−４８５９６号公報  （第５−８頁、図１）
【０００６】
【発明が解決しようとする課題】
上述の大容量排紙収納装置では、上下動自在な排紙トレイとこの排紙トレイを上から覆うように収納装置本体に回動自在に設けられたカバー部材とを有し、カバー部材から吊り下げられる状態で排紙の幅方向をガイドする１対のサイドフェンスと排紙先端を受け止める一つのエンドフェンスとが設けられている。排紙トレイは、画像形成装置から排出された用紙が所定の高さに達すると自動的に下降するように構成されており、画像形成装置の排紙口から用紙が積載されるまでの高さをほぼ一定の状態に保ったまま、大量の用紙を連続的に収納することができる。これにより落下時における用紙の挙動を平均化させ、用相揃えを向上することができる。
【０００７】
しかし、上述の技術では、エンドフェンスがカバー部材に固定されているため、排紙トレイに対するエンドフェンスの角度を調整することができない。画像形成装置より排出される用紙は、その種類や厚みの違い等により排出軌跡が異なるため、エンドフェンスの角度が一定であるとエンドフェンス衝突後の跳ね返りが異なり、排紙揃えが悪化してしまう。
【０００８】
また、画像形成装置より排出される用紙は、画像形成条件あるいは装置の状態等によってスキューする場合があるが、スキューした用紙は用紙先端が均等にエンドフェンスに衝突しないため、用紙幅方向の何れか一方に偏った状態で排紙トレイ上に積載されてしまう。
【０００９】
本発明は上記問題点を解決し、用紙の種類や厚みにかかわらず排紙トレイ上での排紙揃えを向上することが可能な大容量排紙収納装置、及びスキューした用紙であっても排紙トレイ上での排紙揃えを向上することが可能な大容量排紙装置の提供を目的とする。
【００１０】
【課題を解決するための手段】
請求項１記載の発明は、画像形成装置の排紙部に接続される装置本体と、前記排紙部より排出される用紙を積載可能であって前記装置本体に上下動自在に支持された排紙トレイと、前記排紙トレイを上下動させるトレイ上下動手段と、前記排紙トレイ上に排出される前記用紙の幅方向の揃えを行う１対のサイドフェンスと、前記排紙トレイ上に排出される前記用紙の搬送方向の揃えを行う前記装置本体に支持された１つのエンドフェンスとを備えた排紙収納装置において、前記エンドフェンスは前記排紙トレイに対して角度調整可能であることを特徴とする。
【００１１】
請求項２記載の発明は、画像形成装置の排紙部に接続される装置本体と、前記排紙部より排出される用紙を積載可能であって前記装置本体に上下動自在に支持された排紙トレイと、前記排紙トレイを上下動させるトレイ上下動手段と、前記排紙トレイ上に排出される前記用紙の幅方向の揃えを行う１対のサイドフェンスと、前記排紙トレイ上に排出される前記用紙の搬送方向の揃えを行う前記装置本体に支持された１つのエンドフェンスとを備えた排紙収納装置において、前記エンドフェンスは前記用紙の衝突時において前記幅方向に回動可能であることを特徴とする。
【００１２】
請求項３記載の発明は、画像形成装置の排紙部に接続される装置本体と、前記排紙部より排出される用紙を積載可能であって前記装置本体に上下動自在に支持された排紙トレイと、前記排紙トレイを上下動させるトレイ上下動手段と、前記排紙トレイ上に排出される前記用紙の幅方向の揃えを行う１対のサイドフェンスと、前記排紙トレイ上に排出される前記用紙の搬送方向の揃えを行う前記装置本体に支持された１つのエンドフェンスとを備えた排紙収納装置において、前記エンドフェンスは前記排紙トレイに対して角度調整可能であると共に、前記用紙の衝突時において前記幅方向に回動可能であることを特徴とする。
【００１３】
請求項４記載の発明は、請求項２または請求項３記載の排紙収納装置において、さらに前記エンドフェンスは前記用紙の非衝突時において前記用紙の搬送方向に対して直行する中立位置に復帰することを特徴とする。
【００１４】
【実施例】
図１、図２は、本発明の一実施例を採用した排紙収納装置を示している。同図において排紙収納装置１は、画像形成装置としての孔版印刷装置２に接続されている。先ず、排紙収納装置１が接続される孔版印刷装置２について簡単に説明する。
【００１５】
孔版印刷装置２は、筐体３のほぼ中央部に印刷部４を、右方に給紙部５を、左方に排紙部６を有している。印刷部４は、製版されたマスタを巻装して回転する版胴７と、版胴７と同期して回転し版胴７に対して用紙Ｐを圧接させる圧胴８とを有している。給紙部５は、用紙Ｐを積載する給紙トレイ９と、給紙トレイ９上から印刷部４に向けて用紙を給送する図示しない給紙機構部とを有している。排紙部６は、印刷部４で印刷された用紙Ｐを機外に排出させる排紙搬送部材１０を有している。さらに筐体３の内部には、マスタを製版する図示しない製版部と、版胴７の外周面上から使用済みのマスタを剥離する図示しない排版部とが設けられている。この構成より孔版印刷装置２は、給紙部５から給送された用紙Ｐを印刷部４にて印刷し、印刷された用紙Ｐを排紙部６によって筐体３の外部に排出する。
【００１６】
次に、本発明の特徴部である排紙装置１について説明する。排紙装置１は、装置本体としての筐体１１と、排紙トレイ１２と、１対のサイドフェンス１３と、１つのエンドフェンス１４とを有している。
【００１７】
排紙トレイ１２は、筐体１１の内部に設けられた図示しない上下動機構に支持されており、筐体１１の側部に取り付けられたトレイ上下動手段としての駆動モータ１５によって上下動される。図示しない上下動機構としては、例えば特開２００２−２２６１２２号公報に記載されたものと同様のものが用いられ、この上下動機構には排紙トレイ１２上に積載された用紙Ｐの上面位置を検知する図示しない上面検知センサが設けられており、この図示しない上面検知センサが用紙Ｐを検知したときに排紙トレイ１２が所定量だけ下降するように構成されている。また、排紙トレイ１２の用紙搬送方向上流側には、後述するサイドフェンス支持部材１６の移動を許容するための図示しない逃げ穴が用紙幅方向に向けて４箇所設けられている。排紙トレイ１２は、用紙搬送方向長さの約半分が筐体１１から外方に突出するように配置されている。
【００１８】
各サイドフェンス１３は、それぞれ用紙搬送方向上流側に位置する固定部１３ａと用紙搬送方向下流側に位置する可動部１３ｂとを有しており、筐体１１の内部において用紙幅方向に移動自在に支持されたサイドフェンス支持部材１６の上端部近傍に各固定部１３ａをそれぞれ取り付けられている。
【００１９】
各固定部１３ａの用紙搬送方向下流側端部には、図示しない蝶番によって可動部１３ｂがそれぞれ回動自在に取り付けられている。また、各固定部１３ａと各可動部１３ｂとの接続部には図示しないマグネットキャッチが設けられており、各可動部１３ｂは、図２に実線で示す、各固定部１３ａと同一平面をなし排出される用紙Ｐの両側縁部をガイドするガイド位置と、図２に二点鎖線で示す、ガイド位置からそれぞれ排紙トレイ１２の外方に向けて９０度程度開いて排紙トレイ１２上から用紙Ｐの取り出しを容易とする開放位置とを選択的に占め、各位置において磁力により固定される。
【００２０】
サイドフェンス支持部材１６は、筐体１１の内部に排紙トレイ１２の移動方向に延在して４本設けられており、その上端が孔版印刷装置２の図示しない用紙排出口と対応する位置に、下端が図１に二点鎖線で示す排紙トレイ１２の最下降位置よりも下方となる位置にそれぞれ位置するように、排紙トレイ１２の用紙搬送方向上流側部分を貫通して配置されている。
【００２１】
各サイドフェンス支持部材１６はそれぞれ２本で１つのサイドフェンス１３を支持しており、２本１対２組の構成を採っていて、各組２本のサイドフェンス支持部材１６は互いに一体的に構成されている。各サイドフェンス支持部材１６は図示しない支持部材によってそれぞれ用紙幅方向に移動自在に支持されており、その上端部及び下端部にそれぞれ配設されたサイドフェンス移動機構１７によって、各組がそれぞれ互いに同期して接離可能に構成されている。
【００２２】
各組のサイドフェンス支持部材１６にはそれぞれ図示しないラック部材がその上端近傍及び下端近傍に一体的に設けられており、各ラック部材はそれぞれの歯部が互いに向き合うように設けられている。各ラック部材間には各歯部にそれぞれ噛合する図示しないピニオンがそれぞれ設けられており、各ピニオンは各サイドフェンス支持部材１６と平行に延在する駆動軸１８によって一体的に回転可能となるように接続されている。駆動軸１８は図示しないハンドルを手動によって回転することにより回転駆動され、これら各ラック部材、各ピニオン、駆動軸１８、ハンドルによってサイドフェンス移動機構１７が構成されている。
【００２３】
エンドフェンス１４は、図１、図２、図３に示すようにエンドフェンス支持部材１９に支持されている。アーム状のエンドフェンス支持部材１９はその上面及び下面が開放されており、その一端を筐体１１の用紙搬送方向下流側の上端角部に形成された切欠部１１ａに、図３に示す支軸２０によって回動自在に支持されている。切欠部１１ａには、エンドフェンス支持部材１９の回動角度を規制する図示しないストッパが設けられている。
【００２４】
エンドフェンス支持部材１９の用紙搬送方向中心には、そのほぼ全長にわたって用紙搬送方向に延在するフェンス支軸２１が配設されており、このフェンス支軸２１にはエンドフェンス１４を一体的に支持する摺動部材２２が、該フェンス支軸２１上を摺動可能に取り付けられている。摺動部材２２上には、摺動部材２２及びエンドフェンス１４を用紙搬送方向の所定位置に固定させるための位置決めねじ２３が配設されている。
【００２５】
上述の構成より、エンドフェンス１４は、図１に実線で示す、その自由端部が排紙トレイ１２に近接して排出される用紙Ｐの先端を受け止める排紙位置と、図１に二点鎖線で示す、ガイド位置から排紙トレイ１２の上方に向けて回動し、そのほぼ全体が排紙トレイ１２の上方より退避して排紙トレイ１２上から用紙Ｐの取り出しを容易とする退避位置とを選択的に占める。また、エンドフェンス１４は、孔版印刷装置２で印刷が可能な最大サイズの用紙Ｐに対応した図２に実線で示す位置と、孔版印刷装置２で印刷が可能な最小サイズの用紙Ｐに対応した位置である、図２に二点鎖線で示すように固定部１３ａと可動部１３ｂとの接続部に対応する位置との間の任意の位置に位置決めされる。
【００２６】
ここで、本発明の第１の実施例を採用したエンドフェンス１４の支持構造を説明する。エンドフェンス１４は、用紙Ｐの先端が当接するスポンジ等の弾性体からなるクッション部１４ａと、クッション部１４ａを支持する金属製のフェンス本体１４ｂとから一体的に構成されている。フェンス本体１４ｂの下端には、図５に示すように下方に向けて突出形成された爪部１４ｃが２箇所形成されており、各爪部１４ｃは排紙トレイ１２の用紙積載面に用紙搬送方向に向けて形成された２箇所の長穴１２ａにそれぞれ嵌合可能に構成されている。これによりエンドフェンス１４と排紙トレイ１２との間に隙間が生じることがなく、排紙トレイ１２上からの用紙Ｐの脱落が防止される。
【００２７】
フェンス本体１４ｂの背面には、支持ブラケット２４が固着されている。板状部材である支持ブラケット２４は、フェンス本体１４ｂの上端近傍からほぼ中程まで下方に向けて配設されており、その上部両側部及び下部寄りの両側部にはそれぞれ対をなす壁部２４ａ，２４ｂがフェンス本体１４ｂから立ち上がる方向にそれぞれ形成されていて、その下端部はフェンス本体１４ｂの背面から浮き上がって当接片２４ｃを形成している。各壁部２４ａには長穴２４ｄがそれぞれ形成されていて、各壁部２４ｂには互いに外方を向いた突起２４ｅがそれぞれ設けられている。
【００２８】
一方、板状部材を折り曲げて形成され、コ字形状に曲折された一端部を２個の滑り軸受２２ａを介してフェンス支軸２１に摺動自在に支持された摺動部材２２は、その他端部に一対の壁部２２ｂを下向きに形成されている。各壁部２２ｂは、各壁部２４ａ間に嵌合可能となる間隔に設けられており、各壁部２２ｂには各長穴２４ｄに係合する突起２２ｃがそれぞれ設けられている。摺動部材２２の背面には、下方に向けて延出した延出片２２ｄが一体的に取り付けられている。延出片２２ｄは当接片２４ｃと対向する位置まで延出しており、その下端部にはタップが形成されていて、このタップには角度調整ねじ２５が螺合されている。また、各突起２２ｃ，２４ｅには、引張ばね２６がそれぞれ掛け渡されている。
【００２９】
上述の構成より、エンドフェンス１４は各突起２２ｃを中心に摺動部材２２によって回動自在に支持され、引張ばね２６の付勢力によって当接片２４ｃを角度調整ねじ２５の先端に当接させる向きに付勢されている。この状態から角度調整ねじ２５を廻すことによりエンドフェンス１４が図４に矢印で示す方向に回動され、排紙トレイ１２に対するエンドフェンス１４の角度を任意に調整することができる。これにより、用紙の種類や厚みに応じてエンドフェンス１４の角度を調整することで、エンドフェンス１４への衝突後の用紙Ｐの跳ね返りを揃えることができ、良好な排紙揃えを行うことができる。
【００３０】
次に、本発明の第２の実施例を採用したエンドフェンス１４の支持構造を、図６、図７を用いて説明する。この第２の実施例では、摺動部材２２に代えて摺動部材２７が用いられる。フェンス本体１４ｂの背面には、２つの支持板２８ａ，２８ｂが固着されている。各支持板２８ａ，２８ｂには後述する回動支軸２９が嵌合する穴部２８ｃ，２８ｄがそれぞれ形成されており、各支持板２８ａ，２８ｂの取り付け位置は、回動支軸２９の軸部長さと対応する間隔となるように定められている。
【００３１】
板状部材を折り曲げて形成され、コ字形状に曲折された一端部を２個の滑り軸受２７ａを介してフェンス支軸２１に摺動自在に支持された摺動部材２７は、その他端側を曲折されてほぼＳ字形状となるように形成されている。手動部材２７の上部には、第１の実施例で示した位置決めねじ２３と同様の図示しない位置決めねじが設けられている。
【００３２】
摺動部材２７の下端部である排紙トレイ１２に対向する底面２７ｂには、下向きに立設された回動支軸２９の上端が、底面２７ｂの用紙幅方向中心に固着されている。回動支軸２９には止め輪が嵌合可能な溝部が２箇所形成されており、各溝部間の間隔は各支持板２８ａ，２８ｂの各外側同士間の間隔と等しく設定されている。摺動部材２７の他端２７ｃは支持板２８ａと対向する位置まで延出していて下方に向けて曲折されており、摺動部材２７の底面２７ｂに連接した縦壁部２７ｃはフェンス本体１４ｂの背面から僅かな距離をおいて平行に位置するように形成されている。
【００３３】
エンドフェンス１４は、各支持板２８ａ，２８ｂに形成された穴部２８ｃ，２８ｄに回動支軸２９を嵌合され、その両外側部を止め輪によって固定されることで摺動部材２７に回動自在に支持される。また、支持板２８ａと他端２７ｂとの間には、引張ばね３０が掛け渡されている。引張ばね３０の付勢力は、用紙Ｐがエンドフェンス１４に衝突した際にエンドフェンス１４が回動支軸２９を中心に用紙幅方向に回動可能であって、用紙Ｐがエンドフェンス１４に衝突しないときにクッション部１４ａの前面が排出される用紙Ｐの搬送方向に対して直行する中立位置を占める程度の付勢力に設定されている。
【００３４】
上述の構成より、エンドフェンス１４が中立位置を占めた状態から図７に二点鎖線で示すようにスキューした用紙Ｐがエンドフェンス１４に当接すると、用紙Ｐの衝突力によってエンドフェンス１４が図７に矢印で示す方向に回動され、クッション部１４ａの前面が排出される用紙Ｐの前端面に倣う。これにより、例えスキューした用紙Ｐであっても良好な排紙揃えを行うことができる。なお、エンドフェンス１４は回動時においてその背面が縦壁部２７ｃの両側縁角部に当接することによって回動角度を規制される。従って、フェンス本体１４ｂの背面と縦壁部２７ｃとの間隔を調整することにより、エンドフェンス１４の回動角度を調整することができる。
【００３５】
次に、本発明の第３の実施例を採用したエンドフェンス１４の支持構造を、図８、図９を用いて説明する。この第３の実施例は第１の実施例と第２の実施例とを組み合わせた構成を有しており、第１の実施例及び第２の実施例で既に説明した部材と同様の部材に関しては同様の符号を付すに止め、個々の詳細な説明は省略する。
【００３６】
第３の実施例では、摺動部材２２，２７に代えて摺動部材３２が用いられる。板状部材を折り曲げて形成され、コ字形状に曲折された一端部を２個の滑り軸受３２ａを介してフェンス支軸２１に摺動自在に支持された摺動部材３２は、その他端部に一対の壁部３２ｂを下向きに形成されている。各壁部３２ｂには、外方を向いた突起３２ｃがそれぞれ設けられている。摺動部材３２の背面には、下方に向けて延出した延出片３２ｄが一体的に取り付けられている。延出片３２ｄの下端部にはタップが形成されており、このタップには角度調整ねじ２５が螺合されている。
【００３７】
フェンス本体１４ｂの背面には支持板２８ａ，２８ｂが固着されており、各支持板２８ａ，２８ｂには回動支軸２９が止め輪３１によって枢着されている。回動支軸２９の上端は、支持ブラケット３３に固着されている。
【００３８】
フェンス本体１４ｂの背面から所定の間隔をおいて配設された支持ブラケット３３は、フェンス本体１４ｂの上端近傍からほぼ中程まで下方に向けて配設されており、その上部両側部及び下部寄りの両側部にはそれぞれ対をなす壁部３３ａ，３３ｂがフェンス本体１４ｂから立ち上がる方向にそれぞれ形成されている。各壁部３３ａは、その間に各壁部３２ｂが嵌合可能となる間隔に設けられており、各壁部３３ａには突起３２ｃが嵌合可能な長穴３３ｄがそれぞれ形成されている。各壁部３３ｂも各壁部３３ａと同じ間隔で配設されており、各壁部３３ｂには互いに外方を向いた突起３３ｅがそれぞれ設けられている。支持ブラケット３３は、各壁部３３ｂ形成位置の下方より直角左方に曲折されていて、その下端部をさらに下方に向けて曲折されて当接片３３ｃを形成している。当接片３３ｃの形成位置は、角度調整ねじ２５の先端が当接可能となる位置に定められている。
【００３９】
支持ブラケット３３は、各長穴３３ｄを各突起３２ｃに係合され、各突起３２ｃ，３３ｅに引張ばね２６を掛け渡されることにより摺動部材３２に支持される。さらに、支持板２８ａと当接片３３ｃとの間には引張ばね３０が掛け渡される。
【００４０】
上述の構成より、エンドフェンス１４は各突起３２ｃを中心に摺動部材３２によって回動自在に支持され、引張ばね２６の付勢力によって当接片３３ｃを角度調整ねじ２５の先端に当接させる向きに付勢されている。この状態から角度調整ねじ２５を廻すことによりエンドフェンス１４が図８に矢印で示す方向に回動され、排紙トレイ１２に対するエンドフェンス１４の角度を任意に調整することができる。さらにエンドフェンス１４は回動支軸２９によって回動自在に支持され、エンドフェンス１４が中立位置を占めた状態から図９に二点鎖線で示すようにスキューした用紙Ｐがエンドフェンス１４に当接すると、用紙Ｐの衝突力によってエンドフェンス１４が図７に矢印で示す方向に回動され、クッション部１４ａの前面が排出される用紙Ｐの前端面に倣う。これにより第１の実施例及び第２の実施例双方の作用効果を得ることができる。
【００４１】
【発明の効果】
本発明によれば、排紙トレイに対するエンドフェンスの角度を任意に調整することができるので、用紙の種類や厚みに応じてエンドフェンスの角度を調整することでエンドフェンスへの衝突後の用紙の跳ね返りを揃えることができ、良好な排紙揃えを行うことができる。
【００４２】
また、用紙の衝突時にエンドフェンスが幅方向に回動され、エンドフェンスの前面が排出される用紙の前端面に倣うので、例えスキューした用紙であっても良好な排紙揃えを行うことができる。
【図面の簡単な説明】
【図１】本発明の一実施例を採用した画像形成装置及び排紙収納装置の概略正面図である。
【図２】本発明の一実施例を採用した画像形成装置及び排紙収納装置の概略平面図である。
【図３】本発明の一実施例におけるエンドフェンスの支持構造を示す斜視図である。
【図４】本発明の第１の実施例におけるエンドフェンスの支持構造を説明するための概略正面図である。
【図５】本発明の一実施例に用いられるエンドフェンスを説明するための概略斜視図である。
【図６】本発明の第２の実施例におけるエンドフェンスの支持構造を説明するための概略正面図である。
【図７】本発明の第２の実施例におけるエンドフェンスの支持構造を説明するための概略平面図である。
【図８】本発明の第３の実施例におけるエンドフェンスの支持構造を説明するための概略正面図である。
【図９】本発明の第３の実施例におけるエンドフェンスの支持構造を説明するための概略平面図である。
【符号の説明】
１  排紙収納装置
２  画像形成装置（孔版印刷装置）
６  排紙部
１１  装置本体（筐体）
１２  排紙トレイ
１３  サイドフェンス
１４  エンドフェンス
１５  トレイ上下動手段（駆動モータ）
Ｐ  用紙
【図１】
2004269182.tif 000003
【図２】
2004269182.tif 000004
【図３】
2004269182.tif 000005
【図４】
2004269182.tif 000006
【図５】
2004269182.tif 000007
【図６】
2004269182.tif 000008
【図７】
2004269182.tif 000009
【図８】
2004269182.tif 000010
【図９】
2004269182.tif 000011